(57)【要約】【課題】少ない部品点数によりアングルと額縁との固定が行え、建具枠の施工が短時間に容易に行えると共に、意匠性を向上させた建具を提供する。【解決手段】建具枠の室内側部分のアングル８ｆをコ字形に形成する。アングル８を第１部８ｇと第２部８ｈとにより構成する。第１部８ｇの第２部８ｈとの対面部に係合部８ｊを第２部８ｈ側に突出して設ける。アングル８ｆの室内側をコ字形に形成することにより、アングル８ｆと額縁１８との面内方向の動きを規制する。係合部８ｊは、額縁１８に設けた溝１８ａに係合して額縁１８の前記アングル８ｆに対する室内方向の動きを規制する。【選択図】図３
2010084513.tif 000002
【特許請求の範囲】
【請求項１】
建物開口部に固定して設けられる建具枠と、
前記建具枠の室内側部分を構成し、かつ前記建物開口部に設けられる額縁の室外側に嵌合される略コ字形部を有するアングルとを備え、
前記略コ字形部は、前記建物開口部の見込み面側に位置する第１部と、前記第１部と別体をなし、前記第１部に対面する部分を有して前記第１部との間で額縁を挟持する第２部とにより構成され、
前記第１部の前記第２部対面部には前記第２部側に突出して設けられ、前記額縁に設けた溝に係合して前記額縁の前記アングルに対する室内方向への動きを規制する係合部を備えたことを特徴とする建具。
【請求項２】
請求項１に記載の建具において、
前記第２部は建物開口部に取付けられる建具枠の基本材と別の部材により構成されると共に、前記第２部は前記基本材の障子装着面に組み合わせて取付けられることを特徴とする建具。
【請求項３】
請求項１または２に記載の建具において、
前記係合部が切り起し状に形成された弾性を有する突起からなることを特徴とする建具。
【請求項４】
請求項１または２に記載の建具において、
前記係合部が、押し出し成形により形成された立ち上がり部からなることを特徴とする建具。
【請求項５】
請求項１から４までのいずれか１項に記載の建具において、
前記額縁の表面の室外側を凹ませて段部を形成し、前記第２部を前記額縁の凹ませた部分に当接させて第２部の表面と額縁の表面とを同面に形成すると共に、前記第２部の室内側端部を前記段部に当接させたことを特徴とする建具。
【発明の詳細な説明】
【技術分野】
【０００１】
本発明は、建物開口部に建具枠を固定すると共に、建具枠の室内側に設けるアングルを額縁に固定する建具に関する。
【背景技術】
【０００２】
従来のサッシ枠からなる建具枠は、一般に、アングル部を額縁にねじにより固定している。しかしこのようなねじによる固定構造によると、１つの建具枠を建物開口部に固定するために約２０本程度のねじによる固定作業が必要になり、労力および時間を要する上、ねじの頭部が外面に現れるため、見栄えが悪いという問題点がある。また、多数のねじによる固定のため、施工のバラツキによりアングルが波打ってしまう場合があるという問題点がある。
【０００３】
このような問題点を解決するために種々の提案がなされている。特許文献１には、図９（Ａ）に示すように、額縁５０の室外側にアングル５１の上部の２股部５１ａを嵌め、このアングル５１の上に樹脂製のカバー５２で覆い、両者間に隙間５３を形成したものが提案されている。
【０００４】
特許文献２には、図９（Ｂ）に示すように、既存の建具枠６０に額縁取付片６１を取付け、この額縁取付片６１に、額縁６２に設けた額縁取付用補助部材６３を嵌め、躯体６４に溶接したアンカー６５を額縁取付用補助部材６３にも溶接して額縁６２を建具枠６０に取付けたものが提案されている。
【０００５】
特許文献３には、図９（Ｃ）に示すように、額縁７０にねじ７１により固定するアングル部７２の表面にカバー７４を被せてビス７１の頭部を隠したものが開示されている。
【０００６】
【特許文献１】特開２００７−１４６５３６号公報
【特許文献２】特開２００１−８２０３２号公報
【特許文献３】特開２００４−３６０３２２号公報
【発明の開示】
【発明が解決しようとする課題】
【０００７】
上記した従来の建具枠のうち、特許文献１に記載のものは、アングル５１に額縁５０に対する室内外方向に移動を規制する手段がないため、アングル５１と額縁５０とが矢印Ｘで示す室内外方向に動き、図示のように額縁５０の表面に段部５０ａを有するものにこれを適用すると、段部５０ａとカバー５２との間に隙間５４が空いてしまい、意匠性を損なうおそれがある。また、カバー５２の額縁５０からの立ち上がり寸法が大きいため、意匠性を損なうおそれがある。
【０００８】
また、特許文献２に記載のものは、額縁取付片６１、額縁取付用補助部材６３およびアンカー６５を必要とし、部品点数が多くなり製造費が高くなる上、建具枠施工の工数が多くなり、工費も高くなるという問題点がある。
【０００９】
また、特許文献３に記載のものは、ねじ７１の頭部はカバー７４により隠されるものの、アングル部７２の額縁７０への固定にねじ７１を用いているので、建具枠施工に労力および時間を要するという問題点が解消されない。
【００１０】
本発明は、上記問題点に鑑み、少ない部品点数によりアングルと額縁との固定が行え、建具枠の施工が短時間に容易に行えると共に、意匠性を向上させた建具を提供することを目的とする。
【課題を解決するための手段】
【００１１】
請求項１の建具は、建物開口部に固定して設けられる建具枠と、
前記建具枠の室内側部分を構成し、かつ前記建物開口部に設けられる額縁の室外側に嵌合される略コ字形部を有するアングルとを備え、
前記略コ字形部は、前記建物開口部の見込み面側に位置する第１部と、前記第１部と別体をなし、前記第１部に対面する部分を有して前記第１部との間で額縁を挟持する第２部とにより構成され、
前記第１部の前記第２部対面部には前記第２部側に突出して設けられ、前記額縁に設けた溝に係合して前記額縁の前記アングルに対する室内方向への動きを規制する係合部を備えたことを特徴とする。
【００１２】
請求項２の建具は、請求項１に記載の建具において、
前記第２部は建物開口部に取付けられる建具枠の基本材と別の部材により構成されると共に、前記第２部は前記基本材の障子装着面に組み合わせて取付けられることを特徴とする。
【００１３】
請求項３の建具は、請求項１または２に記載の建具において、
前記係合部が切り起し状に形成された弾性を有する突起からなることを特徴とする。
【００１４】
請求項４の建具は、請求項１または２に記載の建具において、
前記係合部が、押し出し成形により形成された立ち上がり部からなることを特徴とする。
【００１５】
請求項５の建具は、請求項１から４までのいずれか１項に記載の建具において、
前記額縁の表面の室外側を凹ませて段部を形成し、前記第２部を前記額縁の凹ませた部分に当接させて第２部の表面と額縁の表面とを同面に形成すると共に、前記第２部の室内側端部を前記段部に当接させたことを特徴とする。
【発明の効果】
【００１６】
請求項１、２の発明によれば、アングルの室内側を、額縁の室外側を嵌合するコ字形に形成したので、額縁のアングルに対する建具面内方向の動きが規制される。また、アングルのコ字形部の内面に設けた係合部により、額縁のアングルに対する室内方向の動きが規制される。このため、ねじを用いることなく、アングルと額縁との相互の固定が行える。この構造により、少ない部品点数によりアングルと額縁との固定が行え、建具枠の施工が短時間に容易に行えると共に、意匠性を向上させることができる。
【００１７】
また、アングルに設ける係合部に係合させる溝を額縁に設けたので、コ字形部に額縁を押し嵌めて係合部を溝に嵌めることにより、アングルと額縁との相互の固定が行える。額縁に溝を設けることは簡単な加工または成形ですみ、比較的廉価に実施できる。
【００１８】
請求項３の発明によれば、係合部を切り起しにより形成したので、アングルに対する額縁のコ字形部への挿入が容易で額縁がアングルより抜けにくい構造が実現できる。また、係合部が切り起しにより形成されるため、部品点数を増やすことなく、しかも部分的に切り起しがなされるため、額縁をアングルへの挿入の際に係合部が弾性変形しやすく、額縁のコ字形部への嵌合が容易となる。また、切り起しにより得られる弾性により額縁が押され、アングルの表面側の見込み面部が額縁の表面に圧接するので、意匠性が向上する。
【００１９】
請求項４の発明によれば、押し出し成形により形成された立ち上がり部を係合部としたので、押し出し成形工程で係合部を形成することができる。このため、係合部を加工するための別工程が不要となり、工程数の簡略化が可能となる。
【００２０】
請求項５の発明によれば、アングルの室内側端部を額縁の段部に当接させたので、額縁の室外側への位置が規制され、コ字形部の係合部と額縁との係合とも併せて、両者の結合が強固に行えると共に、アングルの表面と額縁の表面とを面一に構成したので、意匠性が向上する。
【図面の簡単な説明】
【００２１】
【図１】本発明の建具の一実施の形態を示す縦断面図である。
【図２】図１の横断面図である。
【図３】図２の部分拡大断面図である。
【図４】本発明の参考例を示す横断面図である。
【図５】本発明の他の参考例を示す横断面図である。
【図６】図１〜図３の実施の形態の他の使用形態を示す横断面図である。
【図７】本発明の他の実施の形態を示す横断面図である。
【図８】本発明の他の実施の形態を示す横断面図である。
【図９】（Ａ）〜（Ｃ）はそれぞれ従来技術を説明する断面図である。
【発明を実施するための形態】
【００２２】
図１は本発明の建具の一実施の形態を、障子を省略して示す縦断面図、図２はその横断面図である。１は建物開口部２に固定される建具枠であり、その内部に不図示の障子が装着される。建物開口部２は、窓台３と、まぐさ４と、左右の柱５，５により構成される。建具枠１は、下枠６と、上枠７と、左右の縦枠８、８とにより構成される。これらの枠６〜８はアルミニウム合金製押出形材を基本材として構成される。この例の建具枠１は、下枠６、上枠７にそれぞれ不図示の引き違い障子走行用のレール６ａ，７ａを有する引き違い窓に例をとって示している。
【００２３】
この建具枠１は、下枠６および上枠７に設けたタッピングホール６ｂ，７ｂに、縦枠８，８に設けた孔（図示せず）に挿通したタッピングねじを螺合することによって組み立てる。そしてこの組み立てた建具枠１を建物開口部２にスペーサ１０〜１２により垂直度を出して取付ける。すなわち、下枠６の室内側下面に設けた縦片６ｃ，６ｄを窓台３に載せ、下枠６の取付片６ｅと窓台３との間、上枠７の取付片７ｅとまぐさ４の間、縦枠８の取付片８ｅと柱５との間にそれぞれ厚さを調整したスペーサ１０，１１，１２を介在させ、それぞれ釘やねじ等の固定具１３，１４，１５により窓台３、まぐさ４、柱５に下枠６、上枠７、縦枠８を固定する。また、各枠６，７，８の室内側にはアングル６ｆ，７ｆ，８ｆを設ける。アングル６ｆ，７ｆ，８ｆの室内側はそれぞれ額縁１６，１７，１８の室外側に嵌合するためにコ字形をなす。アングル７ｆ，８ｆとまぐさ４、柱５との間にカイ木２０，２１を介在させ、釘またはねじ等の固定具２２，２３によりアングル７ｆ，８ｆの部分をまぐさ４や柱５に固定する。額縁１６，１７，１８は石膏ボードまたは構造用合板からなる。
【００２４】
各アングル６ｆ，７ｆ，８ｆはアルミニウム合金製押出形材のみで構成してもよい。しかしこの実施の形態においては、各アングル６ｆ，７ｆ，８ｆはそれぞれアルミニウム合金製押出形材でなる第１部６ｇ，７ｇ，８ｇと、これらの第１部６ｇ，７ｇ，８ｇの障子装着面側においてそれぞれ室外側係合部ａと室内側係合部ｂとにおいて係合して組合わされる合成樹脂製押出形材からなる第２部６ｈ，７ｈ，８ｈとにより構成して防露性を向上させている。
【００２５】
各アングル６ｆ，７ｆ，８ｆにおけるアルミニウム合金製押出形材でなる部分６ｇ，７ｇ，８ｇは建物開口部の見込み面側に位置して額縁１６，１７,１８の裏面（それぞれ窓台３、まぐさ４、柱５側に対面する面）に対面する見込み面部６ｉ，７ｉ，８ｉを有する。これらの見込み面部６ｉ，７ｉ，８ｉにはそれぞれ額縁１６，１７，１８側に、すなわち合成樹脂製押出形材６ｈ，７ｈ，８ｈ側に突出する係合部６ｊ，７ｊ，８ｊが設けられる。この例においては、この係合部６ｊ，７ｊ，８ｊを、切り起こしによって、額縁１６，１７，１８の裏面に対して斜めに突出して複数個形成した例を示す。これらの係合部６ｊ，７ｊ，８ｊは切り起しによって形成されるため、弾性を有する。一方、額縁１６，１７，１８の裏面には、前記係合部６ｊ，７ｊ，８ｊを嵌め込む溝１６ａ，１７ａ、１８ａを有する。
【００２６】
合成樹脂製押出形材６ｈ，７ｈ，８ｈは額縁１６，１７，１８の表面を覆う見込み面部６ｋ，７ｋ，８ｋを有する。一方、額縁１６，１７，１８の表面の室外側には、表面を凹ませて段部１６ｂ，１７ｂ，１８ｂを形成している。図３は縦枠８のアングル８ｆについて、額縁１８との関係を拡大して示している。
【００２７】
２４は窓台３と額縁１６との間に介在させたカイ木、２５はまぐさ４と額縁１７との間に介在させたカイ木、２６は窓台３、まぐさ４、柱５の室内側に設ける内装材、２７は胴縁、２９は胴縁２７の室内側の面に貼られた防水シート、３０は防水シート２９と内装材２６との間に設けられた断熱材、３１は胴縁２７の外面に設けられる外装材、３２はこの外装材３１と建具枠１との間の隙間に充填されるシーリング材、３３はシーリング材３２のバックアップ材である。
【００２８】
この建具において、建物開口部２に固定された建具枠１のアングル６ｆ，７ｆ，８ｆに対する固定は次のように行われる。額縁１６，１７，１８の取付けに当り、カイ木２５，２６，２１は予めそれぞれアングル６ｆ，７ｆ，８ｆと窓台３、まぐさ４、柱５との間に接着等により固定しておく。額縁１６，１７，１８は、室内側からアングル６ｆ，７ｆ，８ｆのコ字形部に押し込んで嵌合する。このとき、アングルの係合部６ｊ，７ｊ，８ｊに額縁１６，１７，１８の溝１６ａ，１７ａ、１８ａを嵌めて係合させる。また、合成樹脂製押出形材６ｈ，７ｈ，８ｈの室内側端部をそれぞれ額縁１６，１７，１８の段部１６ｂ，１７ｂ，１８ｂに当接させて合成樹脂製押出形材６ｈ，７ｈ，８ｈの表面を額縁１６，１７，１８の表面と同面に形成する。同時に、額縁１６，１７，１８の裏面とカイ木２５，２６，２１とを接着する。
【００２９】
この実施の形態の建具枠１によれば、アングル６ｆ，７ｆ，８ｆを額縁１６，１７，１８の室外側に嵌合するコ字形に形成したので、額縁１６，１７，１８のアングル６ｆ，７ｆ，８ｆに対する建具面内方向の動きが規制される。また、アングル６ｆ，７ｆ，８ｆのコ字形部の内面に設けた係合部６ｊ，７ｊ，８ｊにより、額縁１６，１７，１８の室内外方向の動きが規制される。このため、ねじを用いることなく、アングル６ｆ，７ｆ，８ｆと額縁１６，１７，１８との相互の固定が行える。この構造により、少ない部品点数によりアングル６ｆ，７ｆ，８ｆと額縁１６，１７，１８との固定が行え、建具枠の施工が短時間に容易に行えると共に、意匠性を向上させることができる。
【００３０】
また、この実施の形態においては、アングル６ｆ，７ｆ，８ｆに設ける係合部６ｊ，７ｊ，８ｊに係合させる溝１６ａ，１７ａ、１８ａを額縁１６，１７，１８に設けたので、コ字形部を額縁１６，１７，１８に押し嵌めて係合部６ｊ，７ｊ，８ｊを溝１６ａ，１７ａ、１８ａに嵌めることにより、アングル６ｆ，７ｆ，８ｆと額縁１６，１７，１８との相互の固定が良好に行える。また、額縁１６，１７，１８に溝１６ａ，１７ａ、１８ａを設けることは簡単な加工または成形ですみ、比較的廉価に実施できる。
【００３１】
また、この実施の形態においては、係合部６ｊ，７ｊ，８ｊを切り起しにより形成したので、アングル６ｆ，７ｆ，８ｆに対する額縁１６，１７，１８のコ字形部への挿入が容易で額縁１６，１７，１８がアングル６ｆ，７ｆ，８ｆより抜けにくい構造が実現できる。また、係合部６ｊ，７ｊ，８ｊが切り起しにより形成されるため、部品点数を増やすことなく、しかも部分的に切り起しがなされるため、額縁１６，１７，１８をアングル６ｆ，７ｆ，８ｆへの挿入の際に係合部が弾性変形しやすく、アングル６ｆ，７ｆ，８ｆのコ字形部への額縁１６，１７，１８の嵌合が容易となる。また、切り起しにより得られる係合部６ｊ，７ｊ，８ｊの弾性により額縁１６，１７，１８が押され、アングル６ｆ，７ｆ，８ｆの表面側の見込み面部６ｋ，７ｋ，８ｋが額縁１６，１７，１８の表面に圧接するので、意匠性が向上する。
【００３２】
また、この実施の形態においては、アングル６ｆ，７ｆ，８ｆの嵌合部の室内側端部を額縁１６，１７，１８の段部１６ｂ，１７ｂ，１８ｂに当接させたので、額縁１６，１７，１８の室外側への位置が規制され、コ字形部の係合部６ｊ，７ｊ，８ｊと額縁１６，１７，１８との係合とも併せて、両者の結合が強固に行えると共に、アングル６ｆ，７ｆ，８ｆの表面と額縁１６，１７，１８の表面とを面一に構成することができるので、意匠性が向上する。
【００３３】
図４は本発明の参考例であり、額縁１８の裏面の溝１８ａと表面の段部１８ｂを無くし、アングル８ｆの切り起しでなる係合部８ｊを額縁１８の裏面に食い込ませることにより、額縁１８がアングル８ｆからの室内側に移動することを防止したものである。この構造は、図５に示すように、額縁１８が下地材１８ｃに化粧シートであるクロス１８ｄを張り付けたクロス巻き込み下地ボードでなる場合にも適用できる。
【００３４】
また、この実施の形態においては、図３に示すように、アングル８ｆのアルミニウム合金製押出形材でなる係合部８ｊを設ける見込み面部８ｉの根本部に折り曲げて除去する除去用の溝８ｍを設けたので、図６に示すように、この見込み面部８ｉを除去した形態で利用することも可能である。
【００３５】
図７は本発明の他の実施の形態であり、この実施の形態は、見込み面３４ａや額縁１８の溝１８ａに係合する係合部３４ｂを縦枠８と別の部品３４により構成したものである。この部品３４は、金属製または合成樹脂製のものであり、縦枠８に設けたコ字形取付け部８ｐ，８ｑに部品３４に設けた鍔部３４ｃ，３４ｄを嵌め込み、必要に応じて取付け部８ｐをかしめて固定する。この部品３４を用いて構成したアングル８ｆは図６等で示した固定具２３により合成樹脂製押出形材８やアルミニウム合金製押出形材８ｇと共に柱５等の躯体に固定する。上枠や下枠についても同様の構造を採用する。
【００３６】
この実施の形態によれば、係合部３４ｂを備える必要がある場合に部品３４を追加すればよいため、図３〜図６で示したように除去用の溝８ｍを有するものに比較し、部品３４が不要となる場合の材料費、加工費が低減される。
【００３７】
図８は本発明の他の実施の形態であり、この実施の形態は、額縁１８の溝１８ａに係合する係合部８ｎを、アングル８ｆを構成するアルミニウム合金製押出形材８ｇの成形により、くの字形の立ち上がり部８ｎとして形成したものである。
【００３８】
図８の実施の形態においては、押出形材８ｇの成形により係合部となる立ち上がり部８ｎを形成したので、押し出し成形工程で係合部を形成することができる。このため、係合部を加工するための別工程が不要となり、工程数の簡略化が可能となる。
【００３９】
なお、この立ち上がり部８ｎは、アルミニウム合金製押出形材８ｇの全長にわたり形成するのではなく、図示のように一部のみ残してもよい。立ち上がり部８ｎを一部残すこととすれば、立ち上がり部８ｎを溝１８ａに嵌合する際の立ち上がり部８ｎ近傍の変形抵抗が小さくなり、施工が容易となる。
【００４０】
上記実施の形態においては、引き違い窓に例をとって説明したが、本発明は、例えば嵌め殺し窓、回転窓、辷り出し窓、開閉窓、上げ下げ窓、その他の窓、引き違い戸、回転戸、開閉戸、その他の戸にも適用できる。
【符号の説明】
【００４１】
１：建具枠、２：開口部、３：窓台、４：まぐさ、５：柱、６：下枠、６ｆ：アングル、６ｇ：アルミニウム合金製押出形材、６ｈ：合成樹脂製押出形材、６ｉ：見込み面部、６ｊ：係合部、７：上枠、７ｆ：アングル、７ｇ：アルミニウム合金製押出形材、７ｈ：合成樹脂製押出形材、７ｉ：見込み面部、７ｊ：係合部、８：縦枠、８ａ：段部、８ｂ：溝、８ｃ：下地ボード、８ｄ：シート、８ｆ：アングル、８ｇ：アルミニウム合金製押出形材、８ｈ：合成樹脂製押出形材、８ｉ：見込み面部、８ｊ，８ｎ：係合部、８ｐ，８ｑ：取付け部、１０，１１，１２：スペーサ、１３，１４，１５：固定具、１６，１７，１８：額縁、１６ａ，１７ａ，１８ａ：溝、１６ｂ，１７ｂ，１８ｂ：段部、１８ｃ：下地ボード、１８ｄ：クロス、２０，２１：カイ木、２２，２３，２４，２５：カイ木、２６：内装材、２７：内装材、２９：防水シート、３０：断熱材、３１：外装材、３２：シーリング材、３３：バックアップ材、３４：部品、３４ａ：見込み面部、３４ｂ：係合部、３４ｃ，３４ｄ：鍔部
【図１】
2010084513.tif 000003
【図２】
2010084513.tif 000004
【図３】
2010084513.tif 000005
【図４】
2010084513.tif 000006
【図５】
2010084513.tif 000007
【図６】
2010084513.tif 000008
【図７】
2010084513.tif 000009
【図８】
2010084513.tif 000010
【図９】
2010084513.tif 000011